(57)【要約】【課題】通信システムが有するＰＷＳを未サポートの端末装置でも、緊急情報を受信することができる通信システム及び緊急情報通知方法を提供する。【解決手段】複数の端末装置と無線通信する複数の基地局装置と、前記基地局装置を介して、前記端末装置に緊急情報を通知する緊急情報通知装置とを有し、前記緊急情報通知装置は、専ら緊急情報を通知する緊急情報通知手段と、前記緊急情報と前記緊急情報以外の情報を通知する汎用情報通知手段を有し、前記端末装置が前記緊急情報通知手段をサポートするか否かを含む端末情報を、前記端末装置から取得し、前記緊急情報を通知するとき、前記端末情報に基づき、前記緊急情報通知手段をサポートする端末装置に前記緊急情報通知手段を用いて前記緊急情報を通知し、前記緊急情報通知手段をサポートしない端末装置に前記汎用情報通知手段を用いて前記緊急情報を通知する。【選択図】図８
2018074188.tif 000002
【特許請求の範囲】
【請求項１】
複数の端末装置と無線通信する複数の基地局装置と、
前記基地局装置を介して、前記端末装置に緊急情報を通知する緊急情報通知装置とを有し、
前記緊急情報通知装置は、専ら緊急情報を通知する緊急情報通知手段と、前記緊急情報と前記緊急情報以外の情報を通知する汎用情報通知手段を有し、
前記端末装置が前記緊急情報通知手段をサポートするか否かを含む端末情報を、前記端末装置から取得し、
前記緊急情報を通知するとき、前記端末情報に基づき、前記緊急情報通知手段をサポートする端末装置に前記緊急情報通知手段を用いて前記緊急情報を通知し、前記緊急情報通知手段をサポートしない端末装置に前記汎用情報通知手段を用いて前記緊急情報を通知する
通信システム。
【請求項２】
前記汎用情報通知手段は、電話番号を宛先としてデータを送信し、
前記緊急情報通知装置は、前記緊急情報通知手段をサポートしない端末装置に、前記緊急情報を含むデータを、前記端末装置の電話番号を宛先として送信する
請求項１記載の通信システム。
【請求項３】
前記汎用情報通知手段は、専用のアプリケーションをインストールした端末装置に対してデータを送信し、
前記緊急情報通知装置は、前記緊急情報通知手段をサポートしない端末装置に、前記緊急情報含めたデータを送信する
請求項１記載の通信システム。
【請求項４】
前記汎用情報通知手段は、電話回線を通じて音声データを送信し、
前記緊急情報通知装置は、前記緊急情報通知手段をサポートしない端末装置に、前記端末装置の電話番号に発呼し、前記発呼に応答して着呼した前記端末装置に前記緊急情報の音声データを送信する
請求項１記載の通信システム。
【請求項５】
前記端末情報は、前記端末装置の表示部に表示される言語である表示言語を含み、
前記緊急情報通知装置は、前記汎用情報通知手段で通知する緊急情報を前記端末装置の使用言語に翻訳し、前記端末装置に通知する
請求項１記載の通信システム。
【請求項６】
前記緊急情報通知装置は、さらに、前記端末情報を記憶するメモリを有し、
前記端末情報を受信したとき、前記受信した端末情報を前記メモリに記憶する
請求項１記載の通信システム。
【請求項７】
さらに、前記端末装置の電話番号を記憶する電話番号記憶装置を有し、
前記緊急情報通知装置は、前記端末情報を取得したとき、前記端末装置が前記緊急情報通知手段に対応しない場合、前記端末装置の電話番号を前記電話番号記憶装置から取得し、前記取得した電話番号を前記端末情報と対応させて前記メモリに記憶する
請求項６記載の通信システム。
【請求項８】
複数の端末装置と無線通信する複数の基地局装置と、
前記基地局装置を介して、前記端末装置に緊急情報を通知する緊急情報通知装置とを有し、
前記基地局装置は、専ら緊急情報を通知する緊急情報通知手段と、前記緊急情報と前記緊急情報以外の情報を通知する汎用情報通知手段を有し、
前記端末装置が前記緊急情報通知手段をサポートするか否かを含む端末情報を、前記端末装置から取得し、
前記緊急情報を通知するとき、前記端末情報に基づき、前記緊急情報通知手段をサポートする端末装置に前記緊急情報通知手段を用いて前記緊急情報を通知し、前記緊急情報通知手段をサポートしない端末装置に前記汎用情報通知手段を用いて前記緊急情報を通知する
通信システム。
【請求項９】
複数の端末装置と無線通信する複数の基地局装置と、前記基地局装置を介して、前記端末装置に緊急情報を通知する、緊急情報を通知する緊急情報通知手段と、前記緊急情報と前記緊急情報以外の情報を通知する汎用情報通知手段を有する緊急情報通知装置を有する通信システムの前記緊急情報通知装置による緊急情報通知方法であって、
前記端末装置が前記緊急情報通知手段をサポートするか否かを含む端末情報を、前記端末装置から取得し、
前記緊急情報を通知するとき、前記端末情報に基づき、前記緊急情報通知手段をサポートする端末装置に前記緊急情報通知手段を用いて前記緊急情報を通知し、前記緊急情報通知手段をサポートしない端末装置に前記汎用情報通知手段を用いて前記緊急情報を通知する
緊急情報通知方法。
【発明の詳細な説明】
【技術分野】
【０００１】
本発明は、通信システム及び緊急情報通知方法に関する。
【背景技術】
【０００２】
通信規格であるＬＴＥ（Long Term Evolution）に準拠した通信システムは、災害発生などの緊急情報を通知するための仕組みであるＰＷＳ（Public Warning System）を有する。ＰＷＳは、いくつかの種別があり、例えば、ＥＴＷＳ（Earthquake and Tsunami Warning System）やＣＭＡＳ（Commercial Mobile Alert System）がある。通信システムが有するＰＷＳの種別は、通信システムが存在する国や、キャリアによって異なる。また、端末装置がサポートするＰＷＳも、端末装置のメーカや端末装置のバージョンによって異なる。
【０００３】
例えば、日本国内の通信システムは、ＥＴＷＳを有している。日本国内の通信システムでは、発生した災害の内容などの緊急情報を、ＥＴＷＳを用いて配下の端末装置に通知する。ＥＴＷＳをサポートする端末装置は通知された緊急情報を受信することができ、端末装置のユーザは緊急情報を知ることができる。
【０００４】
ＰＷＳに関する技術は、以下の特許文献１，２に記載されている。
【先行技術文献】
【特許文献】
【０００５】
【特許文献１】特表２０１２−５０３９２６号公報
【特許文献１】国際公開第２００９／０５７５８８号公報
【発明の概要】
【発明が解決しようとする課題】
【０００６】
しかし、例えば、日本以外のメーカが生産した端末装置は、ＥＴＷＳをサポートしていない場合がある。また、日本のメーカが生産した端末装置でも、例えば、特定のキャリアと専属契約しないＳＩＭ（Subscriber Identity Module）フリーの端末装置は、ＥＴＷＳをサポートしていない場合がある。ＥＴＷＳをサポートしていない端末装置は、ＥＴＷＳを用いた緊急情報を受信することができないため、端末装置の使用者は緊急情報を知ることができない。緊急情報は、災害情報など緊急に通知する必要があり、緊急情報を取得できない使用者は、重大な被害を受ける場合がある。
【０００７】
そこで、一開示は、通信システムが有するＰＷＳを未サポートの端末装置でも、緊急情報を受信することができる通信システム及び緊急情報通知方法を提供する。
【課題を解決するための手段】
【０００８】
１つの側面では、複数の端末装置と無線通信する複数の基地局装置と、前記基地局装置を介して、前記端末装置に緊急情報を通知する緊急情報通知装置とを有し、前記緊急情報通知装置は、専ら緊急情報を通知する緊急情報通知手段と、前記緊急情報と前記緊急情報以外の情報を通知する汎用情報通知手段を有し、前記端末装置が前記緊急情報通知手段をサポートするか否かを含む端末情報を、前記端末装置から取得し、前記緊急情報を通知するとき、前記端末情報に基づき、前記緊急情報通知手段をサポートする端末装置に前記緊急情報通知手段を用いて前記緊急情報を通知し、前記緊急情報通知手段をサポートしない端末装置に前記汎用情報通知手段を用いて前記緊急情報を通知する。
【発明の効果】
【０００９】
一開示は、通信システムが有するＰＷＳを未サポートの端末装置でも、緊急情報を受信することができる。
【図面の簡単な説明】
【００１０】
【図１】図１は、通信システム１０の構成例を示す図である。
【図２】図２は、通信システム１０において、緊急情報事象が発生したときのシーケンスの例を示す図である。
【図３】図３は、日本とアメリカの通信システム１０における、ＥＴＷＳ及びＣＭＡＳのサポート状況の例を示す図である。
【図４】図４は、端末装置のメーカ毎のＥＴＷＳのサポート状況の例を示す図である。
【図５】図５は、緊急情報通知装置３００の構成例を示す図である。
【図６】図６は、端末情報テーブル３２３の例を示す図である。
【図７】図７は、端末装置１００の構成例を示す図である。
【図８】図８は、通信システム１０における、緊急情報通知処理のシーケンスの例を示す図である。
【図９】図９は、汎用情報通知判定処理の処理フローチャートの例を示す図である。
【図１０】図１０は、通信システム１０における、端末情報取得処理のシーケンスの例を示す図である。
【図１１】図１１は、端末情報更新処理の処理フローチャートの例を示す図である。
【図１２】図１２は、端末情報テーブル３２３の例を示す図である。
【図１３】図１３は、汎用情報通知判定処理の処理フローチャートの例を示す図である。
【図１４】図１４は、基地局装置２００の構成例を示す図である。
【図１５】図１５は、端末情報取得処理のシーケンスの例を示す図である。
【図１６】図１６は、通信システム１０における、緊急情報通知処理のシーケンスの例を示す図である。
【発明を実施するための形態】
【００１１】
＜通信システムの構成例＞
図１は、通信システム１０の構成例を示す図である。通信システム１０は、端末装置１００−１〜６（以降、端末装置１００と呼ぶ場合がある）、基地局装置２００−１〜３（以降、基地局装置２００と呼ぶ場合がある）、ＭＭＥ（Mobility Management Entity）３０１、ＣＢＣ（Cell Broadcast Center）３０２、ＣＢＥ（Cell Broadcast Entry）３０３、及びＨＳＳ（Home Subscriber Server）４００を有する。通信システム１０は、例えば、ＬＴＥに準拠した無線通信システムである。
【００１２】
端末装置１００は、基地局装置２００と無線接続し、基地局装置２００を介してデータパケットを送受信することで、他の通信装置と無線通信を行う。端末装置１００は、例えば、タブレット端末やスマートフォンなどの移動体通信装置である。また、基地局装置２００は、例えば、ＬＴＥにおけるｅＮｏｄｅＢ（evolved Node B）である。
【００１３】
ＭＭＥ３０１は、複数の基地局装置２００を収容し、基地局装置２００と接続する端末装置１００の移動管理を行う。ＭＭＥ３０１は、例えば、複数の基地局装置２００及びＣＢＣ３０２と有線で接続する。また、ＭＭＥ３０１は、ＨＳＳ４００とＣＢＣ３０２を介さずに接続してもよい。
【００１４】
ＣＢＣ３０２は、通信システム１０の配下の端末装置１００−１〜６に、緊急情報を通知する装置である。ＣＢＣ３０２は、緊急情報を通知する事象（以降、緊急情報事象と呼ぶ場合がある）が発生したとき、ＣＢＥ３０３から緊急情報を受信し、基地局装置２００−１〜３を介して、端末装置１００−１〜６に緊急情報を通知する。
【００１５】
ＣＢＥ３０３は、緊急情報事象を検出する装置である。ＣＢＥ３０３は、例えば、地震観測装置であり、気象庁などに配置される。ＣＢＥ３０３は、例えば、所定値以上の地震を観測すると、緊急情報事象であると判定し、ＣＢＣ３０２に緊急情報を通知する。
【００１６】
ＨＳＳ４００は、端末装置１００の電話番号を記憶、管理する電話番号記憶装置である。ＨＳＳ４００は、例えば、ＨＳＳ４００の保守者によって、データの登録、削除などのデータ更新が行われる。ＨＳＳ４００は、他の装置からの要求に応じて端末装置１００の電話番号を通知する。また、他の装置がＨＳＳ４００のデータベースにアクセスすることで、ＨＳＳ４００から端末装置１００の電話番号を抽出してもよい。
【００１７】
なお、図１の通信システム１０は、ＭＭＥ３０１、ＣＢＣ３０２、及びＣＢＥ３０３を、それぞれ異なる装置として有するが、ＭＭＥ３０１、ＣＢＣ３０２、及びＣＢＥ３０３の全て又は２つの組み合わせの機能を有する装置であってもよい。以降、ＭＭＥ３０１、ＣＢＣ３０２、及びＣＢＥ３０３のそれぞれ、又は、ＭＭＥ３０１、ＣＢＣ３０２、及びＣＢＥ３０３の全て又は２つの組み合わせの機能を有する装置を、緊急情報通知装置３００と呼ぶ。以降の説明においては、緊急情報通知装置３００は、ＭＭＥ３０１、ＣＢＣ３０２、及びＣＢＥ３０３の全ての機能を有する装置である場合を例として説明する。
【００１８】
図２は、通信システム１０において、緊急情報事象が発生したときのシーケンスの例を示す図である。なお、図２において、端末装置１００−２は、緊急通知が送信される緊急情報通知手段をサポートしているが、端末装置１００−１は、緊急情報通知手段をサポートしていない。なお、緊急情報通知手段は、専ら緊急情報の送信に使用される手段である。また、緊急情報通知手段をサポートする端末装置１００は、緊急情報通知手段を用いて通知された緊急情報を受信することができる端末装置である。
【００１９】
緊急情報通知装置３００は、緊急情報事象が発生すると（Ｓ１）、緊急通知を基地局装置２００−１に送信する（Ｓ２）。緊急通知は、通信システム１０が有する緊急情報通知手段によって送信される、緊急情報を含むメッセージである。緊急情報通知手段が、例えば、ＥＴＷＳの場合、緊急通知は、ＷＲＩＴＥ−ＲＥＰＬＡＣＥ  ＷＡＲＮＩＮＧ  ＲＥＱＵＥＳＴである。緊急情報通知装置３００は、ＷＲＩＴＥ−ＲＥＰＬＡＣＥ  ＷＡＲＮＩＮＧ  ＲＥＱＵＥＳＴに、送信先の基地局装置２００の識別子や、ＥＴＷＳを用いて緊急情報を送信することなどを含め、基地局装置２００−１に送信する。
【００２０】
緊急通知を受信した基地局装置２００−１は、配下の端末装置１００−１，２に、緊急通知を送信する（Ｓ３、Ｓ４）。基地局装置２００−１は、例えば、報知情報の特定の領域（無線リソースの特定のブロック）に緊急情報を含めることで、配下の全端末装置１００に緊急情報を通知する。緊急情報通知手段が、例えば、ＥＴＷＳの場合、基地局装置２００は、Ｓｙｓｔｅｍ  ＩｎｆｏｒｍａｔｉｏｎのＳＩＢ（System Information Block）１０，１１に緊急情報を含め報知する。
【００２１】
端末装置１００−２は、緊急情報通知手段をサポートしているため、緊急情報通知手段を用いて送信された緊急通知を受信することができる（Ｓ３）。一方、端末装置１００−１は、緊急情報通知手段をサポートしていないため、緊急情報通知手段を用いて送信された緊急通知を受信することができない（Ｓ４）。端末装置１００−１が緊急通知を受信できないということは、例えば、端末装置１００−１に緊急情報が含まれる報知情報の電波は到達しているが、端末装置１００−１が特定の領域に緊急情報が含まれることを認識しておらず、緊急情報を抽出できないことを示す。
【００２２】
図３は、日本とアメリカの通信システム１０における、ＥＴＷＳ及びＣＭＡＳのサポート状況の例を示す図である。日本の通信システム１０では、ＥＴＷＳをサポートするが、ＣＭＡＳは未サポートである。一方、アメリカの通信システム１０では、ＣＭＡＳをサポートするが、ＥＴＷＳは未サポートである。このように、通信システム１０が存在する国により、緊急情報通知手段のサポート状況が異なる。
【００２３】
図４は、端末装置の製造元（メーカ）毎のＥＴＷＳのサポート状況の例を示す図である。ＦＲＥＥＲＥＬ、ＨＵＡＷＥＩ、ＺＴＥでは、ＥＴＷＳは未サポートである。このように、メーカによって、緊急情報通知手段のサポート状況が異なる。
【００２４】
図３、図４より、例えば、ＨＵＡＷＥＩの端末装置は、日本の通信システム１０で使用される場合、ＥＴＷＳを用いた緊急情報を受信することができない。このように、端末装置と通信システム１０の組み合わせによっては、端末装置１００は緊急情報を受信することができない。そこで、第１の実施の形態では、緊急情報通知手段をサポートしない端末装置１００−１に対して、緊急情報通知手段以外の代替の通知手段（以降、汎用情報通知手段と呼ぶ場合がある）を用いて、端末装置１００−１に緊急情報を通知する。汎用上情報通知手段は、緊急情報及び緊急情報以外の情報を通知する通知手段である。
【００２５】
[第１の実施の形態]
第１の実施の形態について説明する。第１の実施の形態においては、緊急情報通知装置３００は、緊急情報通知装置３００が有する緊急情報通知手段を端末装置１００がサポートするか否かを含む端末情報を、端末装置１００から取得する。緊急情報通知装置３００は、緊急情報を通知するとき、端末情報に基づき、端末装置１００が緊急情報通知手段をサポートする場合、緊急情報通知手段を用いて端末装置１００に緊急情報を通知し、端末装置１００が緊急情報通知手段をサポートしない場合、緊急情報通知手段とは異なる汎用情報通知手段を用いて緊急情報を端末装置１００に通知する。
【００２６】
＜緊急情報通知装置の構成例＞
図５は、緊急情報通知装置３００の構成例を示す図である。緊急情報通知装置３００は、ＣＰＵ（Central Processing Unit）３１０、ストレージ３２０、ＤＲＡＭ（Dynamic Random Access Memory）などのメモリ３３０、ＮＩＣ（Network Interface Card）３４０−１，２を有する。緊急情報通知装置３００は、例えば、コンピュータである。
【００２７】
ストレージ３２０は、プログラムやデータを記憶する、フラッシュメモリ、ＨＤＤ（Hard Disk Drive）、又はＳＳＤ（Solid State Drive）などの補助記憶装置である。ストレージ３２０は、端末情報管理プログラム３２１、緊急情報事象発生管理プログラム３２２、及び端末情報テーブル３２３を記憶する。
【００２８】
端末情報テーブル３２３は、端末装置１００から受信した端末情報を記憶するテーブルである。緊急情報通知装置３００は、端末情報を受信すると、端末情報テーブル３２３を更新する。
【００２９】
図６は、端末情報テーブル３２３の例を示す図である。端末情報テーブル３２３は、端末装置ごとに端末情報を記憶する。端末情報テーブル３２３に記憶される情報は、「端末装置識別子」、「電話番号」、「接続中基地局装置」、及び「緊急情報通知手段サポート状況」である。
【００３０】
「端末装置識別子」は、端末装置１００の識別子であり、例えば、端末装置の契約者を一意に示すＩＭＳＩ（International Mobile Subscriber Identity）である。
【００３１】
「電話番号」は、端末装置１００の電話番号である。緊急情報通知装置３００は、ＨＳＳ４００に端末装置識別子に対応する電話番号を問い合わせ、端末装置１００の電話番号を取得する。なお、緊急情報通知装置３００は、緊急情報を通知するために電話番号を使用しない場合（端末装置が緊急情報通知手段をサポートする場合や、電話番号を使用しない汎用情報通知手段で緊急情報を通知する場合）、電話番号を記憶しなくてもよい。
【００３２】
「接続中基地局装置」は、端末装置１００が接続する（又は通信エリア内に在圏する）基地局装置２００の識別子であり、例えば、基地局装置２００を一意に示すセルＩＤ（identifier）である。
【００３３】
「緊急情報通知手段サポート状況」は、端末装置１００が緊急情報通知手段をサポートしているか否か示す情報である。
【００３４】
なお、端末情報の「端末装置識別子」、「接続中基地局装置」、及び「緊急情報通知手段サポート状況」は、端末装置１００から取得する。
【００３５】
メモリ３３０は、ストレージ３２０に記憶されているプログラムをロードする領域である。また、メモリ３３０は、プログラムがデータを記憶する領域としても使用される。
【００３６】
ＮＩＣ３４０−１，２（以降、ＮＩＣ３４０と呼ぶ場合がある）は、基地局装置２００やＨＳＳ４００と接続するネットワークインターフェースである。緊急情報通知装置３００は、ＮＩＣ３４０を介して、他の通信装置と通信を行う。
【００３７】
ＣＰＵ３１０は、端末情報管理プログラム３２１を実行することで、端末情報管理処理を行う。端末情報管理処理は、端末装置から端末情報の取得を行い、端末情報テーブル３２３に記憶する処理である。
【００３８】
ＣＰＵ３１０は、端末情報更新モジュール３２１１を実行することで、端末情報更新処理を行う。端末情報更新処理は、端末装置１００が緊急情報通知手段を未サポートの場合、ＨＳＳ４００から電話番号を取得し、端末装置１００から受信した端末情報と対応づけて端末情報テーブル３２３に記憶する処理である。
【００３９】
ＣＰＵ３１０は、電話番号取得モジュール３２１２を実行することで、電話番号取得処理を行う。電話番号取得処理は、端末装置１００の識別子を含む電話番号取得要求をＨＳＳ４００に送信し、ＨＳＳ４００から識別子に対応する電話番号を含む電話番号取得応答を受信することで、端末装置１００の電話番号を取得する処理である。
【００４０】
また、ＣＰＵ３１０は、緊急情報事象発生管理プログラム３２２を実行することで、緊急情報事象発生管理処理を行う。緊急情報事象発生管理処理は、緊急情報事象の発生を検出し、緊急情報通知手段を用いて緊急情報を端末装置１００に通知する処理である。また、緊急情報事象発生管理処理は、緊急情報通知手段をサポートしない端末装置１００に、汎用情報通知手段を用いて、緊急情報を通知する処理である。
【００４１】
ＣＰＵ３１０は、緊急情報通知モジュール３２２１を実行することで、緊急情報通知処理を行う。緊急情報通知処理は、緊急情報通知手段を用いて緊急情報を端末装置１００に通知する処理である。
【００４２】
ＣＰＵ３１０は、汎用情報通知判定モジュール３２２２を実行することで、汎用情報通知判定処理を行う。汎用情報通知判定処理は、端末装置１００に汎用情報通知手段を用いて緊急情報を通知するか否かを判定する処理である。
【００４３】
ＣＰＵ３１０は、汎用情報通知モジュール３２２３を実行することで、汎用情報通知処理を行う。汎用情報通知処理は、汎用情報通知手段を実行する処理である。汎用情報通知手段は、通常の無線通信に使用される通信手段であり、汎用の通知手段である。汎用情報通知手段は、緊急情報通知手段をサポートしない端末装置１００に緊急情報を通知するために使用される通知手段である。
【００４４】
汎用情報通知手段は、例えば、電話番号を宛先としてメール送信するＳＭＳ（short message service）である。緊急情報通知装置３００は、メール送信において、例えば、データやファイルをメール送信先の通信装置に送信する。緊急情報通知装置３００は、緊急情報通知手段をサポートしない端末装置１００に、緊急情報を含むデータ（又はファイル）を、端末装置の電話番号を宛先として送信する。端末装置１００は、データ（又はファイル）をメールとして受信し、受信データ（又はファイル）に含まれる緊急情報を表示部に表示することで、端末装置１００のユーザに緊急情報を知らせる。
【００４５】
また、緊急通知手段は、例えば、音声データを送受信する音声通話である。緊急情報通知装置３００は、緊急情報通知手段をサポートしない端末装置１００に、端末装置１００の電話番号に発呼し、発呼に応答して着呼した端末装置１００に緊急情報の音声データを送信する。端末装置１００は、緊急情報の音声データを音声として再生することで、端末装置１００のユーザに緊急情報を知らせる。
【００４６】
さらに、緊急通知手段は、例えば、複数の端末装置１００に対して、マルチキャストでデータを送信するデータ配信である。端末装置１００のユーザは、例えば、専用のアプリケーションをインストールし実行することで、配信されるデータを表示する。緊急情報通知装置３００は、緊急情報通知手段をサポートしない端末装置１００に、緊急情報を含めたデータを送信する。端末装置１００は、緊急情報を含むデータを再生することで、緊急情報を端末装置１００のユーザに通知する。送信されるデータは、例えば、ストリームデータであり、専用のアプリケーションは、動画再生機能を持ったアプリケーションである。ストリームデータの一部に緊急情報を文字情報として含めることで、端末装置１００のユーザは、閲覧している動画の一部に表示される緊急情報を認識することができる。
【００４７】
＜端末装置の構成例＞
図７は、端末装置１００の構成例を示す図である。端末装置１００は、ＣＰＵ１１０、ストレージ１２０、ＤＲＡＭなどのメモリ１３０、ＲＦ回路１５０、及び表示部１６０を有する。端末装置１００は、例えば、タブレットやスマートフォンなどの移動体通信端末である。
【００４８】
ストレージ１２０は、プログラムやデータを記憶するフラッシュメモリ、ＨＤＤ、又はＳＳＤなどの補助記憶装置である。ストレージ１２０は、無線通信プログラム１２１、端末情報送信プログラム１２２、緊急通知受信プログラム１２３、及び端末情報１２４を記憶する。
【００４９】
端末情報１２４は、基地局装置２００が送信する端末情報取得要求の応答メッセージ（端末情報取得応答）に含まれる情報である。端末情報１２４は、例えば、端末装置１００の識別子、接続中の基地局装置の識別子、緊急情報通知手段サポート状況などが記憶される。端末装置１００は、例えば、緊急通知受信プログラムを有する場合、緊急情報通知手段をサポートしている旨を、端末情報１２４に記憶する。また、端末情報１２４は、電話番号が記憶されてもよい。
【００５０】
メモリ１３０は、ストレージ１２０に記憶されているプログラムをロードする領域である。また、メモリ１３０は、プログラムがデータを記憶する領域としても使用される。
【００５１】
ＲＦ回路１５０は、基地局装置２００と無線通信を行う装置である。ＲＦ回路１５０は、アンテナを介して基地局装置２００と無線接続し、パケットの送受信を行う。
【００５２】
表示部１６０は、端末装置１００のユーザに文字や画像などを表示するディスプレイである。表示部１６０は、画像データや文字データをＣＰＵ１１０により送信され、受信したデータを表示する。
【００５３】
ＣＰＵ１１０は、無線通信プログラム１２１を実行することで、無線通信処理を行う。無線通信処理は、基地局装置２００を介して、他の通信装置と無線通信を行う処理である。無線通信処理は、例えば、パケットの送受信、メールの送受信、ストリームデータの受信などを行う処理である。
【００５４】
ＣＰＵ１１０は、汎用情報通知受信モジュール１２１１を実行することで、汎用情報通知受信処理を行う。汎用情報通知受信処理は、基地局装置２００が汎用情報通知手段を用いて送信する汎用情報通知を受信する処理である。汎用情報通知受信処理は、例えば、ＳＭＳを用いて送信されたメールを受信する処理である。
【００５５】
また、ＣＰＵ１１０は、端末情報送信プログラム１２２を実行することで、端末情報送信処理を行う。端末情報送信処理は、基地局装置２００に端末情報を送信する処理である。端末装置１００は、基地局装置２００から端末情報取得要求を受信すると、端末情報送信処理を実行する。
【００５６】
さらに、ＣＰＵ１１０は、緊急通知受信プログラム１２３を実行することで、緊急通知受信処理を行う。緊急通知受信処理は、基地局装置２００が緊急情報通知手段を用いて送信した緊急通知を受信する処理である。緊急通知受信処理は、例えば、ＥＴＷＳを用いて報知された情報を取得する処理である。なお、端末装置１００は、緊急通知受信プログラム１２３を有さない場合がある。端末装置１００が緊急通知受信プログラム１２３を有するかどうかは、端末装置１００の製造元メーカや、ＳＩＭフリー端末装置か否かなどで決まる。端末装置１００は、緊急通知受信プログラム１２３を有さない場合、基地局装置２００が緊急情報通知手段を用いて送信した緊急通知を受信することができない。すなわち、緊急通知受信プログラム１２３を有さない端末装置１００は、緊急情報通知手段をサポートしない端末装置１００である。
【００５７】
＜緊急情報通知処理＞
図８は、通信システム１０における、緊急情報通知処理のシーケンスの例を示す図である。端末装置１００−１は、緊急情報通知手段を未サポートであり、端末装置１００−２は、緊急情報通知手段をサポートする端末装置である。なお、図８における処理Ｓ１０１から処理Ｓ１０４までは、図における処理Ｓ１からＳ４までと同様である。よって、図８における処理Ｓ１０５以降について説明する。
【００５８】
緊急情報通知装置３００は、緊急通知を基地局装置２００−１に送信した後（Ｓ１０２）、汎用情報通知判定処理を行う（Ｓ１０５）。
【００５９】
図９は、汎用情報通知判定処理の処理フローチャートの例を示す図である。緊急情報通知装置３００は、緊急情報通知手段を未サポートの端末装置１００が存在するかどうかを判定する（Ｓ１０５１）。緊急情報通知装置３００は、端末情報テーブル３２３に基づき、判定を行う。緊急情報通知装置３００は、端末情報テーブル３２３の「緊急情報通知手段サポート状況」を参照し、「未サポート」の端末装置１００が存在する場合、緊急情報通知手段を未サポートの端末装置１００が存在すると判定する（Ｓ１０５１のＹｅｓ）。図６の例においては、端末装置１００−１の「緊急情報通知手段サポート状況」が「未サポート」であり、緊急情報通知手段を未サポートの端末装置１００が存在すると判定する。
【００６０】
緊急情報通知装置３００は、緊急情報通知手段を未サポートの端末装置１００が存在すると判定すると（Ｓ１０５１のＹｅｓ）、当該端末装置１００に汎用情報通知手段を用いて緊急情報を送信する（Ｓ１０５２）。当該端末装置１００が複数存在する場合、複数の当該端末装置１００それぞれに、汎用情報通知手段を用いて緊急情報を送信する。図６の例においては、端末装置１００−１が緊急情報通知手段を未サポートであるため、端末装置１００−１に、汎用情報通知手段を用いて、緊急情報を含む緊急通知を送信する（Ｓ１０５２）。
【００６１】
緊急情報通知装置３００は、緊急情報通知手段を未サポートの端末装置１００が存在しない場合（Ｓ１０５１のＮｏ）、又は処理Ｓ１０５２の実行後、汎用情報通知判定処理Ｓ１０５を終了する。
【００６２】
図８のシーケンスに戻り、緊急情報通知装置３００は、汎用情報通知判定処理Ｓ１０５を実施し、基地局装置２００−１を介して、端末装置１００−１に汎用情報通知を送信する（Ｓ１０６，Ｓ１０７）。汎用情報通知は、汎用情報通知手段を用いて送信されるメッセージである。汎用情報通知手段が、例えば、ＳＭＳである場合、汎用情報通知は電話番号を宛先としたメールである。緊急情報通知装置３００は、端末情報テーブル３２３から抽出した端末装置１００−１の電話番号をメールの宛先に設定し、緊急情報を添付し、ＳＭＳを用いてメール送信する。
【００６３】
これにより、緊急情報通知手段を未サポートの端末装置１００−１は、汎用情報通知手段で緊急情報を受信することができる。
【００６４】
＜端末情報更新処理＞
図１０は、通信システム１０における、端末情報取得処理のシーケンスの例を示す図である。緊急情報通知手段を未サポートの端末装置１００−１を例として、以下に端末情報取得処理を説明する。
【００６５】
端末装置１００−１は、例えば、基地局装置２００−１の通信エリアに在圏したとき、基地局装置２００−１に無線接続する（Ｓ２０１）。無線接続は、例えば、通信システム１０がＬＴＥに準拠する場合、端末装置１００−１が基地局装置２００−１にアタッチする処理である。基地局装置２００は、無線接続が完了すると（例えば、アタッチを検出すると）、端末情報取得要求を端末装置１００−１に送信する（Ｓ２０２）。端末情報取得要求は、例えば、通信システム１０がＬＴＥに準拠する場合、ＲＲＣ（Radio Resource Control）メッセージのＵＥ  Ｃａｐａｂｉｌｉｔｙ  Ｅｎｑｕｉｒｙである。ＵＥ  Ｃａｐａｂｉｌｉｔｙ  Ｅｎｑｕｉｒｙには、端末情報取得応答に端末情報を含むよう指示する内容が含まれる。
【００６６】
端末装置１００−１は、端末情報取得要求を受信すると、端末情報を含む端末情報取得応答を、基地局装置２００−１に送信する（Ｓ２０３）。端末情報取得要求がＵＥ  Ｃａｐａｂｉｌｉｔｙ  Ｅｎｑｕｉｒｙである場合、端末情報取得応答は、ＵＥ  Ｃａｐａｂｉｌｉｔｙ  Ｉｎｆｏｒｍａｔｉｏｎである。ＵＥ  Ｃａｐａｂｉｌｉｔｙ  Ｉｎｆｏｒｍａｔｉｏｎには、端末情報が含まれる。
【００６７】
端末情報取得応答に含まれる端末情報の情報要素は、端末装置１００−１の識別子、接続中の基地局装置２００−１の識別子、及び緊急情報通知手段をサポートしているか否かを含む。また、端末情報取得応答に含まれる端末情報の情報要素は、端末装置１００−１の電話番号を含んでもよい。しかし、以下の説明においては、端末情報取得応答の端末情報に端末装置１００−１の電話番号を含まない場合を例として説明する。
【００６８】
基地局装置２００−１は、端末情報取得応答を受信すると、緊急情報通知装置３００に受信した端末情報取得応答を送信する（Ｓ２０４）。緊急情報通知装置３００は、端末情報取得応答を受信すると、端末情報更新処理を行う（Ｓ２０５）。
【００６９】
図１１は、端末情報更新処理Ｓ２０５の処理フローチャートの例を示す図である。緊急情報通知装置３００は、受信した端末情報取得応答の送信元の端末装置が、緊急情報通知手段をサポートしているか否かを判定する（Ｓ２０５１）。緊急情報通知装置３００は、受信した端末情報取得応答に含まれる端末情報に基づき、当該端末装置が緊急情報通知手段をサポートしていると判定すると（Ｓ２０５１のＮｏ）、端末情報を端末情報テーブル３２３に記憶し（Ｓ２０５２）、処理を終了する。
【００７０】
一方、緊急情報通知装置３００は、当該端末装置が緊急情報通知手段を未サポートであると判定すると（Ｓ２０５１のＹｅｓ）、ＨＳＳ４００に端末装置１００−１の識別子を含む電話番号取得要求を送信する（Ｓ２０５３）。緊急情報通知装置３００は、ＨＳＳ４００から端末装置１００−１の電話番号を含む電話番号取得応答の受信を待ち受ける（Ｓ２０５４のＮｏ）。
【００７１】
そして、緊急情報通知装置３００は、ＨＳＳ４００から電話番号取得応答を受信すると（Ｓ２０５４のＹｅｓ）、取得した電話番号と端末情報取得応答に含まれる端末情報を対応づけ、端末情報テーブル３２３に記憶し（Ｓ２０５５）、処理を終了する。
【００７２】
上述したように、緊急情報通知装置３００は、当該端末装置が緊急情報通知手段を未サポートである場合、電話番号を取得する。これにより、緊急情報通知手段を未サポートの端末装置１００−１に、電話番号を使用する汎用情報通知手段を用いて、緊急情報を送信することができる。
【００７３】
図１０のシーケンスに戻り、緊急情報通知装置３００は、端末情報更新処理において、電話番号取得要求をＨＳＳ４００に送信し（Ｓ２０６）、ＨＳＳ４００から電話番号取得応答を受信する。そして、緊急情報通知装置３００は、端末装置１００−１の電話番号と、端末情報取得応答で受信した端末情報を対応づけ、端末情報テーブル３２３に記憶する。
【００７４】
第１の実施の形態では、緊急情報通知装置３００が、緊急情報通知手段(例えばＥＴＷＳ)を未サポートの端末装置に対して、ほとんどの端末装置１００が有する汎用情報通知手段（例えばＳＭＳ）を代替え手段として、緊急情報を通知する。これにより、緊急情報を受信できる端末装置１００が増加する。また、全端末装置ではなく、緊急情報通知手段で緊急情報を取得できない端末装置にのみ汎用情報通知手段を用いて緊急情報を送信するため、データ送信の増加数を抑制しつつ、緊急情報を通知することができる。
【００７５】
[第２の実施の形態]
次に、第２の実施の形態について説明する。第２の実施の形態では、緊急情報通知装置３００は、端末情報として、端末装置１００が表示部に表示している表示言語を取得する。そして、緊急情報通知装置３００は、汎用情報通知手段を用いて緊急情報を通知するとき、緊急情報を取得した表示言語に翻訳し、端末装置１００に送信する。
【００７６】
＜端末情報取得処理＞
図１２は、第２の実施の形態における、端末情報テーブル３２３の例を示す図である。なお、端末情報取得処理のシーケンスは、図１０と同様である。
【００７７】
第２の実施の形態では、端末情報として、さらに、「表示言語」を情報要素として記憶する。「表示言語」は、端末装置１００の表示部１６０に表示される言語であり、例えば、日本語、英語など言語の種別である。図１２によると、緊急情報通知手段を未サポートの端末装置１００−１の表示言語は、「英語」である。緊急情報通知装置３００は、例えば、端末装置１００が端末情報取得応答で送信する端末情報に表示言語を含めさせることで、端末装置１００の表示言語を取得する。
【００７８】
＜緊急情報通知処理＞
図１３は、汎用情報通知判定処理の処理フローチャートの例を示す図である。なお、緊急情報通知処理のシーケンスは、図８と同様である。また、緊急通知判定処理の処理フローチャートの処理Ｓ１０５１、Ｓ１０５２は、図９における処理フローチャートのＳ１０５１、Ｓ１０５２と同様である。以下、図１３における処理Ｓ２０００について説明する。
【００７９】
緊急情報通知装置３００は、緊急情報通知手段を未サポートの端末装置が存在する場合（Ｓ１０５１のＹｅｓ）、緊急情報を当該端末装置の表示言語に翻訳する（Ｓ２０００）。そして、当該端末装置に、汎用情報通知手段を用いて、翻訳した緊急情報を通知する（Ｓ１０５２）。
【００８０】
第２の実施の形態においては、緊急情報通知装置３００は、緊急情報通知手段を未サポートの端末装置１００に対して、表示言語に翻訳した緊急情報を、汎用情報通知手段で通知する。これにより、緊急情報通知手段を未サポートの端末装置のユーザは、緊急情報の内容を把握することができる。緊急情報通知手段を未サポートの端末装置のユーザは、外国人（通信システム１０の存在する国以外の国民）であることが多いため、緊急情報通知装置３００は、汎用情報通知手段で通知する場合、緊急情報を翻訳する。一方、緊急情報通知手段をサポートする端末装置のユーザは、日本人（通信システム１０の存在する国の国民）であることが多く、緊急情報通知装置３００は、自国の言語で緊急情報を通知することで、ほとんどのユーザが緊急情報の内容を把握することができる。
【００８１】
[第３の実施の形態]
次に、第３の実施の形態について説明する。第３の実施の形態では、基地局装置２００が端末情報テーブルを有し、基地局装置２００が汎用情報通知判定処理及び端末情報取得処理を実行する。
【００８２】
＜基地局装置の構成例＞
図１４は、基地局装置２００の構成例を示す図である。基地局装置２００は、ＣＰＵ２１０、ストレージ２２０、ＤＲＡＭなどのメモリ２３０、ＮＩＣ２４０、及びＲＦ回路２５０を有す基地局装置２００は、例えば、ＬＴＥにおけるｅＮｏｄｅＢである。なお、メモリ２３０、ＮＩＣ２４０、及びＲＦ回路２５０は、それぞれ、図５におけるメモリ３３０、ＮＩＣ３４０、及び図７におけるＲＦ回路１５０と同等の装置である。
【００８３】
ストレージ２２０は、補助記憶装置であり、無線通信プログラム２２１、端末情報管理プログラム２２２、緊急情報事象発生管理プログラム２２３、及び端末情報テーブル２２４を記憶する。端末情報テーブル２２４は、図５における端末情報テーブル３２３と同様のテーブルである。
【００８４】
ＣＰＵ２１０は、無線通信プログラム２２１を実行することで、無線通信処理を行う。無線通信処理は、端末装置１００が他の通信装置と行う無線通信を中継する処理である。無線通信処理は、端末装置１００と他の通信装置間で送受信されるパケットを中継する。
【００８５】
ＣＰＵ２１０は、端末情報管理プログラム２２２を実行することで、端末情報管理処理を行う。また、ＣＰＵ２１０は、緊急情報事象発生管理プログラム２２３を実行することで、緊急情報事象発生管理処理を行う。端末情報管理処理及び緊急情報事象発生管理処理は、図５において説明した端末情報管理処理及び緊急情報事象発生管理処理と同等の処理である。ただし、緊急情報事象の発生の検出は、緊急情報通知装置３００が行い、基地局装置２００は緊急通知を受信することで、緊急情報事象の発生を検知する。
【００８６】
第３の実施の形態では、緊急情報通知装置３００は、緊急情報事象の発生を検知し、緊急情報通知手段を用いて緊急情報を通知するよう基地局装置２００に指示する。そして、第１の実施の形態において、緊急情報通知装置３００が実行する端末情報管理処理及び緊急情報事象発生管理処理は、第３の実施の形態においては基地局装置２００が実行する。
【００８７】
＜端末情報取得処理＞
図１５は、第３の実施の形態における、端末情報取得処理のシーケンスの例を示す図である。なお、図１５における処理Ｓ４０１から処理Ｓ４０３は、図１０における処理Ｓ２０１から処理Ｓ２０３と同様である。
【００８８】
基地局装置２００−１は、端末情報取得応答を受信すると（Ｓ４０３）、端末情報更新処理を行う（Ｓ４０４）。端末情報更新処理の処理フローチャートは、図１１に示す処理フローチャートと同様である。
【００８９】
基地局装置２００−１は、ＨＳＳ４００に端末装置１００−１の識別子を含む電話番号取得要求を送信する（Ｓ４０５）。そして、基地局装置２００−１は、ＨＳＳ４００から、端末装置１００−１の電話番号を含む電話番号取得応答を受信し（Ｓ４０６）、取得した電話番号と、端末情報を対応づけ、基地局装置２００−１が有する端末情報テーブル２２４を更新する。
【００９０】
＜緊急情報通知処理＞
図１６は、通信システム１０における、緊急情報通知処理のシーケンスの例を示す図である。端末装置１００−１は、緊急情報通知手段を未サポートであり、端末装置１００−２は、緊急情報通知手段をサポートする端末装置である。なお、図１６における処理Ｓ３０１から処理Ｓ３０４は、図８における処理Ｓ１０１から処理Ｓ１０４と同様である。
【００９１】
基地局装置２００−１は、緊急通知を送信すると（Ｓ３０３、Ｓ３０４）、汎用情報通知判定処理を行う（Ｓ３０５）。汎用情報通知判定処理の処理フローチャートは、図９に示す処理フローチャートと同様である。
【００９２】
基地局装置２００−１は、汎用情報通知判定処理において、端末装置１００−１が緊急情報通知手段を未サポートであると判定し、汎用情報通知を端末装置１００−１に送信する（Ｓ３０６）。基地局装置２００−１は、汎用情報通知手段を用いて、緊急情報を含む汎用情報通知を端末装置１００−１に送信する。
【００９３】
第３の実施の形態では、基地局装置２００が端末情報を管理し、緊急情報通知手段を未サポートの端末装置１００に、汎用情報通知手段を用いて端末情報を通知する。これにより、端末情報は、緊急情報通知装置３００まで送信されないため、通信システム１０内で送受信されるデータ量を抑制することができる。例えば、基地局装置２００の数が膨大な通信システム１０においては、基地局装置２００までしか端末情報を送信されないため、膨大な通信量を抑制することができる。
【００９４】
なお、第２の実施の形態で示した緊急情報を翻訳する処理を、第３の実施の形態における基地局装置２００で実行してもよい。
【００９５】
以上、第１から第３の実施の形態を含む実施形態に関し、更に以下の付記を開示する。
【００９６】
（付記１）
複数の端末装置と無線通信する複数の基地局装置と、
前記基地局装置を介して、前記端末装置に緊急情報を通知する緊急情報通知装置とを有し、
前記緊急情報通知装置は、専ら緊急情報を通知する緊急情報通知手段と、前記緊急情報と前記緊急情報以外の情報を通知する汎用情報通知手段を有し、
前記端末装置が前記緊急情報通知手段をサポートするか否かを含む端末情報を、前記端末装置から取得し、
前記緊急情報を通知するとき、前記端末情報に基づき、前記緊急情報通知手段をサポートする端末装置に前記緊急情報通知手段を用いて前記緊急情報を通知し、前記緊急情報通知手段をサポートしない端末装置に前記汎用情報通知手段を用いて前記緊急情報を通知する
通信システム。
【００９７】
（付記２）
前記汎用情報通知手段は、電話番号を宛先としてデータを送信し、
前記緊急情報通知装置は、前記緊急情報通知手段をサポートしない端末装置に、前記緊急情報を含むデータを、前記端末装置の電話番号を宛先として送信する
付記１記載の通信システム。
【００９８】
（付記３）
前記汎用情報通知手段は、専用のアプリケーションをインストールした端末装置に対してデータを送信し、
前記緊急情報通知装置は、前記緊急情報通知手段をサポートしない端末装置に、前記緊急情報を含めたデータを送信する
付記１記載の通信システム。
【００９９】
（付記４）
前記汎用情報通知手段は、電話回線を通じて音声データを送信し、
前記緊急情報通知装置は、前記緊急情報通知手段をサポートしない端末装置に、前記端末装置の電話番号に発呼し、前記発呼に応答して着呼した前記端末装置に前記緊急情報の音声データを送信する
付記１記載の通信システム。
【０１００】
（付記５）
前記端末情報は、前記端末装置の表示部に表示される言語である表示言語を含み、
前記緊急情報通知装置は、前記汎用情報通知手段で通知する緊急情報を前記端末装置の使用言語に翻訳し、前記端末装置に通知する
付記１記載の通信システム。
【０１０１】
（付記６）
前記緊急情報通知手段は、前記基地局装置が報知する報知情報を送信し、
前記緊急情報通知装置は、前記緊急情報通知手段をサポートする端末装置に、前記報知情報の特定の領域に緊急情報を含め、前記端末装置に送信する
付記１記載の通信システム。
【０１０２】
（付記７）
前記基地局装置は、前記端末装置が前記基地局装置と無線接続したときに送信する端末情報を受信したとき、前記受信した端末情報を前記緊急情報通知装置に送信する
付記１記載の通信システム。
【０１０３】
（付記８）
前記緊急情報通知装置は、さらに、前記端末情報を記憶するメモリを有し、
前記端末情報を受信したとき、前記受信した端末情報を前記メモリに記憶する
付記１記載の通信システム。
【０１０４】
（付記９）
さらに、前記端末装置の電話番号を記憶する電話番号記憶装置を有し、
前記緊急情報通知装置は、前記端末情報を取得したとき、前記端末装置が前記緊急情報通知手段に対応しない場合、前記端末装置の電話番号を前記電話番号記憶装置から取得し、前記取得した電話番号を前記端末情報と対応させて前記メモリに記憶する
付記８記載の通信システム。
【０１０５】
（付記１０）
複数の端末装置と無線通信する複数の基地局装置と、
前記基地局装置を介して、前記端末装置に緊急情報を通知する緊急情報通知装置とを有し、
前記基地局装置は、専ら緊急情報を通知する緊急情報通知手段と、前記緊急情報と前記緊急情報以外の情報を通知する汎用情報通知手段を有し、
前記端末装置が前記緊急情報通知手段をサポートするか否かを含む端末情報を、前記端末装置から取得し、
前記緊急情報を通知するとき、前記端末情報に基づき、前記緊急情報通知手段をサポートする端末装置に前記緊急情報通知手段を用いて前記緊急情報を通知し、前記緊急情報通知手段をサポートしない端末装置に前記汎用情報通知手段を用いて前記緊急情報を通知する
通信システム。
【０１０６】
（付記１１）
複数の端末装置と無線通信する複数の基地局装置と、前記基地局装置を介して、前記端末装置に緊急情報を通知する、緊急情報を通知する緊急情報通知手段と、前記緊急情報と前記緊急情報以外の情報を通知する汎用情報通知手段を有する緊急情報通知装置を有する通信システムの前記緊急情報通知装置による緊急情報通知方法であって、
前記端末装置が前記緊急情報通知手段をサポートするか否かを含む端末情報を、前記端末装置から取得し、
前記緊急情報を通知するとき、前記端末情報に基づき、前記緊急情報通知手段をサポートする端末装置に前記緊急情報通知手段を用いて前記緊急情報を通知し、前記緊急情報通知手段をサポートしない端末装置に前記汎用情報通知手段を用いて前記緊急情報を通知する
緊急情報通知方法。
【符号の説明】
【０１０７】
１０…通信システム                      １００…端末装置
１１０…ＣＰＵ                          １２０…ストレージ
１２１…無線通信プログラム              １２２…端末情報送信プログラム
１２３…緊急通知受信プログラム          １２４…端末情報
１３０…メモリ                          １５０…ＲＦ回路
１６０…表示部                          ２００…基地局装置
２１０…ＣＰＵ                          ２２０…ストレージ
２２１…無線通信プログラム              ２２２…端末情報管理プログラム
２２３…緊急情報事象発生管理プログラム  ２２４…端末情報テーブル
２３０…メモリ                          ２４０…ＮＩＣ
２５０…ＲＦ回路                        ３００…緊急情報通知装置
３０１…ＭＭＥ                          ３０２…ＣＢＣ
３０３…ＣＢＥ                          ３１０…ＣＰＵ
３２０…ストレージ                      ３２１…端末情報管理プログラム
３２２…緊急情報事象発生管理プログラム  ３２３…端末情報テーブル
３３０…メモリ                          ３４０…ＮＩＣ
【図１】
2018074188.tif 000003
【図２】
2018074188.tif 000004
【図３】
2018074188.tif 000005
【図４】
2018074188.tif 000006
【図５】
2018074188.tif 000007
【図６】
2018074188.tif 000008
【図７】
2018074188.tif 000009
【図８】
2018074188.tif 000010
【図９】
2018074188.tif 000011
【図１０】
2018074188.tif 000012
【図１１】
2018074188.tif 000013
【図１２】
2018074188.tif 000014
【図１３】
2018074188.tif 000015
【図１４】
2018074188.tif 000016
【図１５】
2018074188.tif 000017
【図１６】
2018074188.tif 000018